(57)【特許請求の範囲】
【請求項１】
ネブライザ使用を監視するように構成されるシステムであって、
圧縮媒体が導管を通じて圧力源からネブライザに移転されるよう、圧力源とネブライザとを流体的に連結するように構成される導管と、
出力信号を生成するように構成される圧力変換サブシステムと、
コンピュータプログラムモジュールを実行するように構成される１つ又はそれよりも多くのプロセッサとを含み、
前記導管は、圧力の適用に応答して機械的に変位するように構成される部分を含み、そのような変位は、前記導管を通じる移転と実質的に干渉せず、
前記圧力変換サブシステムは、前記導管を通じて移転される圧力を変換するように構成され、前記圧力変換サブシステムは、前記部分の変位がマイクロスイッチを作動させるよう、前記導管内に含められる前記部分に沿って位置付けられるマイクロスイッチを含み、前記圧力変換サブシステムは、前記マイクロスイッチの作動に応答して前記出力信号を出力するように更に構成され、
前記コンピュータプログラムモジュールは、
前記出力信号に基づき１つ又はそれよりも多くのネブライザ使用パラメータを決定するように構成されるパラメータ決定モジュールと、
前記１つ又はそれよりも多くのネブライザ使用パラメータを格納するように構成されるデータロギングモジュールとを含む、
システム。
【請求項２】
前記圧力変換サブシステムは、前記出力信号を通じて前記データロギングモジュールを制御するように構成される圧力スイッチを含む、請求項１に記載のシステム。
【請求項３】
前記マイクロスイッチは、作動に応答する異なる状態を含むように構成され、該異なる状態は、「オン」状態と、「オフ」状態とを含む、請求項１に記載のシステム。
【請求項４】
前記コンピュータプログラムモジュールは、前記１つ又はそれよりも多くのネブライザ使用パラメータを抽出するように構成される解析モジュールを更に含み、該解析モジュールは、前記ネブライザの使用が治療計画に従っているか否かを決定するように更に構成され、該決定は、前記抽出される１つ又はそれよりも多くのネブライザ使用パラメータに基づく、請求項１に記載のシステム。
【請求項５】
前記解析モジュールは、前記抽出される１つ又はそれよりも多くのネブライザ使用パラメータに基づき、前記ネブライザの使用が増大したか否かを決定するように更に構成される、請求項４に記載のシステム。
【請求項６】
ネブライザ使用の監視をアクティブ化する方法であって、
導管による流体連結を通じて、圧縮媒体を圧力源からネブライザに移転させることを含み、前記導管は、圧力の適用に応答して機械的に変位する部分を含み、そのような変位は、前記導管を通じる移転と実質的に干渉せず、
前記部分の変位がマイクロスイッチを作動させるよう、マイクロスイッチを前記導管の前記部分に沿って位置付けることを含み、
出力信号が前記マイクロスイッチの作動に応答して調節されるよう、圧力変換サブシステムによって、前記圧縮媒体からの圧力を前記導管の前記部分を介して出力信号に変換することを含み、
前記出力信号に基づき１つ又はそれよりも多くのネブライザ使用パラメータを決定することを含み、且つ
前記１つ又はそれよりも多くのネブライザ使用パラメータを格納することを含む、
方法。
【請求項７】
前記圧力変換サブシステムは、圧力スイッチを含み、前記１つ又はそれよりも多くのネブライザ使用パラメータを格納することは、前記圧力スイッチの出力値に基づき制御される、請求項６に記載の方法。
【請求項８】
前記マイクロスイッチは、作動に応答する異なる状態を含み、該異なる状態は、「オン」状態と、「オフ」状態とを含む、請求項６に記載の方法。
【請求項９】
前記１つ又はそれよりも多くのネブライザ使用パラメータを抽出すること、及び
前記ネブライザの使用が治療計画に従っているか否かを決定することを更に含み、該決定は、前記抽出される１つ又はそれよりも多くのネブライザ使用パラメータに基づく、
請求項６に記載の方法。
【請求項１０】
前記１つ又はそれよりも多くのネブライザ使用パラメータを抽出すること、及び
前記ネブライザの使用が増大したか否かを前記抽出される１つ又はそれよりも多くのネブライザ使用パラメータに基づき決定することを更に含む、
請求項６に記載の方法。
【請求項１１】
ネブライザ使用を監視するように構成されるシステムであって、
流体連結を通じて、圧縮媒体を圧力源からネブライザに移転させる手段を含み、該移転させる手段は、圧力の適用に応答して機械的に変位する部分を含み、そのような変位は、前記移転させる手段を通じる移転と実質的に干渉せず、
前記部分の変位がマイクロスイッチ手段を作動させるよう、前記部分に沿って位置付けるマイクロスイッチ手段を含み、
前記マイクロスイッチ手段の作動に応答して調節されるよう、前記圧縮媒体からの圧力を前記部分を介して出力信号に変換する手段を含み、
前記出力信号に基づき１つ又はそれよりも多くのネブライザ使用パラメータを決定する手段を含み、
前記１つ又はそれよりも多くのネブライザ使用パラメータを格納する手段を含む、
システム。
【請求項１２】
前記変換する手段は、圧力スイッチを含み、前記格納する手段の操作は、前記圧力スイッチの出力値に基づき制御される、請求項１１に記載のシステム。
【請求項１３】
前記マイクロスイッチ手段は、作動に応答する異なる状態を含み、該異なる状態は、「オン」状態と、「オフ」状態とを含む、請求項１１に記載のシステム。
【請求項１４】
前記１つ又はそれよりも多くのネブライザ使用パラメータを抽出し且つ前記ネブライザの使用が治療計画に従っているか否かを決定する手段を更に含み、該決定は、前記抽出される１つ又はそれよりも多くのネブライザ使用パラメータに基づく、請求項１１に記載のシステム。
【請求項１５】
前記１つ又はそれよりも多くのネブライザ使用パラメータを抽出し且つ前記ネブライザの使用が増大したか否かを前記抽出される１つ又はそれよりも多くのネブライザ使用パラメータに基づき決定する手段を更に含む、請求項１１に記載のシステム。
【発明の詳細な説明】
【技術分野】
【０００１】
本開示は、実際のネブライザ（噴霧器）使用を監視（モニタリング）するシステム及び方法に関し、具体的には、そのような監視から導き出される情報を格納し且つ／或いは解析するシステム及び方法に関する。
【背景技術】
【０００２】
呼吸療法給送装置は、呼吸薬品給送装置を含む。呼吸療法給送装置は、多くの種類の患者を治療するために用いられる。ここにおいて用いるとき、呼吸薬品給送装置を呼吸医薬給送装置と呼ぶことがある。患者の忠実度(adherence)は確固たる治療結果を得ることにおける鍵となる要素である。幾つかの種類の呼吸薬品給送装置、例えば、ネブライザについて、実際の使用に関する情報は、患者の証言に依存する場合がある。
【発明の概要】
【課題を解決するための手段】
【０００３】
ここに開示する１つ又はそれよりも多くの実施態様は、ネブライザ使用を監視するように構成されるシステムを提供する。システムは、導管と、圧力変換サブシステムと、１つ又はそれよりも多くのプロセッサとを含む。導管は、圧縮媒体が導管を通じて圧力源からネブライザに移転されるよう、圧力源とネブライザとを流体的に連結するように構成される。圧力変換サブシステムは、出力信号を生成するように構成される。圧力変換サブシステムは、導管を通じて移転される圧力を変換するように構成される。圧力変換サブシステムは、変換される圧力の変化に応答して出力信号を調節するように構成される。１つ又はそれよりも多くのプロセッサは、コンピュータプログラムモジュールを実行するように構成される。コンピュータプログラムモジュールは、出力信号に基づき１つ又はそれよりも多くのネブライザ使用パラメータを決定するように構成されるパラメータ決定モジュールと、１つ又はそれよりも多くのネブライザ使用パラメータを格納するように構成されるデータロギングモジュールとを含む。
【０００４】
ネブライザ使用を監視する方法を提供することが、１つ又はそれよりも多くの実施態様の更なる他の特徴である。方法は、導管による流体連結(流体継手)(fluid  coupling)を通じて、圧縮媒体を圧力源からネブライザに移転させること、変換される圧力の変化に応答して出力信号が調節されるよう、圧力変換サブシステムによって、圧縮媒体からの圧力を出力信号に変換すること、出力信号に基づき１つ又はそれよりも多くのネブライザ使用パラメータを決定すること、及び１つ又はそれよりも多くのネブライザ使用パラメータを格納することを含む。
【０００５】
ネブライザ使用を監視するように構成されるシステムを提供することが、１つ又はそれよりも多くの実施態様の更なる他の特徴である。システムは、流体連結を通じて、圧縮媒体を圧力源からネブライザに移転させるための手段と、変換される圧力の変化に応答して出力信号が調節されるよう、圧縮媒体からの圧力を出力信号に変換するための手段と、出力信号に基づき１つ又はそれよりも多くのネブライザ使用パラメータを決定するための手段と、１つ又はそれよりも多くのネブライザ使用パラメータを格納するための手段とを含む。
【０００６】
本開示のこれらの及び他の特徴(aspects)、構成(features)、及び特性(characteristics)、並びに、動作の方法、構造の関連要素の機能(functions)、部品の組み合わせ、及び製造の経済は、添付の図面を参照して後続の記述及び付属の請求項を考察した後に、より明らかになるであろう。それらの全ては、この明細書の一部を形成し、同等の参照番号は、様々な図面中の対応する部品を示す。しかしながら、図面は、例示及び記述の目的のために過ぎず、如何なる限定の定義として意図されていないことが、明示的に理解されるべきである。
【図面の簡単な説明】
【０００７】
【図１】ネブライザ使用を監視するように構成されたシステムを図式的に示す図である。
【０００８】
【図２】ネブライザ使用を監視する方法を示す図である。
【０００９】
【図３】ここに記載する様々な実施態様に従ってネブライザ使用を監視するように構成されたシステムを示す図である。
【図４】ここに記載する様々な実施態様に従ってネブライザ使用を監視するように構成されたシステムを示す図である。
【図５】ここに記載する様々な実施態様に従ってネブライザ使用を監視するように構成されたシステムを示す図である。
【図６】ここに記載する様々な実施態様に従ってネブライザ使用を監視するように構成されたシステムを示す図である。
【図７】ここに記載する様々な実施態様に従ってネブライザ使用を監視するように構成されたシステムを示す図である。
【図８】ここに記載する様々な実施態様に従ってネブライザ使用を監視するように構成されたシステムを示す図である。
【００１０】
【図９】ネブライザの動作中に放出される圧力を示す図である。
【図１０】ネブライザの動作中に放出されるエネルギを示す図である。
【発明を実施するための形態】
【００１１】
ここにおいて用いるとき、文脈がその他のことを明らかに指図しない限り、単数形の形態は、複数への言及を含む。ここにおいて用いるとき、２つ又はそれよりも多くの部品（パーツ）又は構成部品（コンポーネント）が「連結される」(“coupled”)という陳述は、部品が直接的又は間接的に、即ち、連結（リンク）が生じる限り、１つ又はそれよりも多くの中間的な部品又は構成部品を通じて接合される或いは協働することを意味する。ここにおいて用いるとき、「直接的に連結される」(“directly  coupled”)は、２つの要素が互いに直接的に接触することを意味する。ここにおいて用いるとき、「固定的に連結される」(“fixedly  coupled”)又は「固定される」(“fixed”)は、互いに対する一定の向きを維持しながら１つのものとして動くよう、２つの構成部品が連結されることを意味する。
【００１２】
ここにおいて用いるとき、「一体的」(“unitary”)は、ある構成部品が一体成形品又は単一ユニットとして創り出されることを意味する。即ち、別個に創り出されてユニットとして一体に連結される部分を含む構成部品は、「一体的」な構成部品又は本体でない。ここにおいて利用するとき、２つ又はそれよりも多くの部品又は構成部品が互いに「係合」(“engage”)するという陳述は、部品が直接的に或いは１つ又はそれよりも多くの中間的な部品又は構成部品を通じて互いに対して力を加えることを意味する。ここにおいて利用するとき、「数」(“number”)という用語は、１又は１よりも大きい整数（即ち、複数）を意味する。
【００１３】
ここにおいて用いる、例えば、非限定的に、頂、底、左、右、上方、下方、前方、後方、及びそれらの派生形のような、方向を示す成句は、図面中に示す要素の向きに関し、請求項中で明示的に引用されない限り、請求項を限定しない。
【００１４】
図１は、ネブライザ使用、例えば、被験者１０６によるネブライザ使用を監視（モニタリング）するように構成されるシステム１０を図式的に例示している。システム１０は、１つ又はそれよりも多くの装置に含められてよく、１つ又はそれよりも多くの装置に統合されてよく、１つ又はそれよりも多くの装置に埋め込まれてよく、１つ又はそれよりも多くの装置と組み合わせられてよく、１つ又はそれよりも多くの装置とその他の方法において協働してよく、１つ又はそれよりも多くの装置は、呼吸薬品給送のための装置、酸素を提供する装置、（陽）圧気道装置、加湿システム、患者の睡眠を助ける装置、通気をもたらす装置、及び／又は他の種類の呼吸治療装置を含むが、これらに限定されない。システム１０は、導管１８０、圧力源１２、ネブライザ１３、圧力変換サブシステム１１、１つ又はそれよりも多くのセンサ１４２、１つ又はそれよりも多くのプロセッサ１１０、パラメータ決定モジュール１１１、データロギングモジュール１１２、解析モジュール１１３、電子記憶装置１３０、ユーザインターフェース１２０、及び／又は他の構成部品、及び／又はコンピュータプログラムモジュールのうちの１つ又はそれよりも多くを含んでよい。
【００１５】
代替的に及び／又は同時に、システム１０は、噴射ネブライザ、メッシュネブライザ、超音波ネブライザ、ネブライザ、エアロゾル生成器、及び／又は少なくとも部分的に被験者１０６の呼吸を通じて医薬を被験者に給送するように構成される他の装置のうちの１つ又はそれよりも多くを含んでよい。幾つかの実施において、システム１０は、これらの装置のうちのいずれかの装置の１つ又はそれよりも多くの構成(features)を含んでよい。例えば、システム１０は、被験者１０６の気道への給送のために、例えば、空気のような、呼吸できる気体と、液体及び／又はエアロゾル化薬品のような、医薬とを化合させるように構成されてよい。一部の実施において、システム１０は、介護者１０８、例えば、医療専門家によって作動させられてよい。非限定的な実施例として、薬品給送装置を用いて、喘息、慢性閉塞性肺疾患（ＣＯＰＤ）、及び／又は呼吸機能に関する他の疾病のための治療をもたらしてよい。
【００１６】
導管１８０は、媒体、液体、気体、及び／又は医薬を、（例えば、流体連結（流体継手）を通じて）圧力源１２から、ネブライザ１３、被験者インターフェース器具１８４（例えば、マウスピース又はマスク）、及び／又は被験者１０６の気道に給送し、移転し、且つ／或いは案内するように構成されてよい。（圧縮された及び／又は加圧された）媒体が、導管１８０によって及び／又は導管１８０を通じて圧力源１２０からネブライザ１３及び／又は少なくとも部分的に被験者１０６の呼吸を通じて被験者に医薬を給送するように構成される他の装置に移転されてよい。
【００１７】
幾つかの実施において、圧力源１２は、コンプレッサを含んでよい。幾つかの実施において、例えば、幾つかの病院環境において、圧力源１２は、ソケット、ポート、コネクタ、及び／又はプラグであってよく、それらを通じて加圧気体及び／又は空気が提供されてよい。そのような圧力源を「壁空気」と呼んでよい。
【００１８】
圧力変換サブシステム１１は、（一緒に出力信号と呼んでよい）出力信号及び／又は出力作動における変化が導管１８０を通じて移転される圧力における変化に対応し、関係し、且つ／或いは応答するよう、圧力（及び／又は圧力に関する及び／又は圧力から給送される単位及び／又は量）を出力信号に変換するように構成される。圧力変換サブシステム１１の異なる実施を図１に１１ａ、１１ｂ、１１ｃ、及び１１ｄとして印し、この開示における他の場所でより詳細に記載する。
【００１９】
幾つかの実施において、圧力変換サブシステム１１は、圧力スイッチ１１ａを含んでよく且つ／或いは圧力スイッチ１１ａとして実施されてよい。圧力スイッチ１１ａは、機械的スイッチであってよい。圧力スイッチ１１ａは、圧力閾を破る導管１８０内の圧力のレベルに応答して（例えば、オンからオフに又はオフからオンに）出力信号を調節するように構成されてよい。幾つかの実施において、圧力スイッチ１１ａの出力信号を用いて、データロギングモジュール１１２を制御してよい。例えば、圧力スイッチ１１ａに達する不十分な圧力に応答して、データロギング機能を停止させてよい。代替的に及び／又は同時に、圧力スイッチ１１ａに達する十分な圧力に応答して、データロギング機能を作動させてよい。例示として、図３は、（図１の）システム１０と類似する又は同じシステム１０ａを例示している。図３のシステム１０ａは、圧力源１２、導管１８０、ネブライザ１３、薬品流体貯槽１３ａ、被験者インターフェース器具１８４（例えば、マウスピース）、圧力スイッチ１１ａ、及び／又は他の構成部品のうちの１つ又はそれよりも多くを含む。導管１８０は、圧力源１２をネブライザ１３及び／又は薬品流体貯槽１３ａの一方又は両方に流体的に連結させてよい。圧力及び／又は加圧媒体は、圧力源１３から導管１８０を通じてネブライザ及び／又は薬品流体貯槽１３ａの一方又は両方に移転させられてよい。圧力閾を破る圧力スイッチ１１ａに達する圧力レベルに応答して、圧力スイッチ１１ａの出力信号は（例えば、オフからオンに）移転してよい。この出力信号をシステム１０ａ内の他の場所において、例えば、（図示しない）他のシステム構成部品によって用いてよい。
【００２０】
幾つかの実施において、圧力変換サブシステム１１は、導管部分１８０ａ及びマイクロスイッチ１１ｂを含んでよく、導管部分１８０ａ又はマイクロスイッチ１１ｂとして実施されてよい。導管部分１８０ａは、導管１８０の部分であってよく、導管１８０に統合されてよく、導管１８０に埋め込まれてよく、且つ／或いはその他の方法において導管１８０と結合されてよい。幾つかの実施において、導管部分１８０ａは、例えば、導管１８０及び／又は導管部分１８０ａ内から、圧力の適用に応答して、機械的に変位し、移動し、且つ／或いは延びるように構成されてよい。導管部分１８０ａの動きは、適用される圧力のレベルに積極的に相関してよい。幾つかの実施において、導管部分１８０ａは、柔らかい管材料（例えば、導管１８０の残部よりも柔らかい管組織）を含んでよい。導管部分１８０ａの動きは、マイクロスイッチ１１ｂを作動させてよい（例えば、オフからオンへの又はその逆の移行）。マイクロスイッチ１１ｂは、動作中、異なる状態又は動作モードを含んでよく、非限定的な実施例として、「オン」状態又はモード及び「オフ」状態又はモードを含んでよい。マイクロスイッチ１１ｂの状態又はモードは、圧力変換サブシステム１１の出力信号として機能してよい。
【００２１】
例示として、図４及び図５は、（図１の）システムと類似の又は同じシステム１０ｂを例示している。図４及び５のシステム１１ｂは、圧力源１２、導管１８０、導管部分１８０ａ、ネブライザ１３、薬品流体貯槽１３ａ、被験者インターフェース器具１８４（例えば、マウスピース）、マイクロスイッチ１１ｂ、及び／又は他の構成部品のうちの１つ又はそれよりも多くを含む。導管１８０は、圧力源１２をネブライザ１３及び／又は薬品流体貯槽１３ａの一方又は両方に流体的に結合させてよい。圧力及び／又は加圧媒体は、圧力源１２から導管１８０及び／又は導管部分１８０ａを通じてネブライザ１３及び／又は薬品流体貯槽１３ａの一方又は両方に移転されてよい。圧力閾値を破り損なう導管部分１８０ａ内の圧力レベルに応答して、マイクロスイッチ１１ｂは、「オフ」状態又はモードにあってよく且つ／或いは留まってよく、例えば、マイクロスイッチ１１ｂは、図４に描写するように、作動させられなくてよい。圧力閾値を破る導管部分１８０ａ内の圧力レベルに応答して、マイクロスイッチ１１ｂは「オン」状態又はモードに移行してよく、例えば、マイクロスイッチ１１ｂは、図５に描写されるように、作動させられてよい。マイクロスイッチ１１ｂの出力はシステム１１ｂ内の他の場所で用いられてよく、例えば、（図示しない）他のシステム構成部品によって用いられてよい。幾つかの実施において、マイクロスイッチ１１ｂは、導管１８０と直列に位置付けられてよく且つ／或いは配置されてよい。
【００２２】
幾つかの実施において、圧力変換サブシステム１１は、共振器１１ｃ及び／又は圧電素子６０（例えば、圧電ディスク）を含んでよく且つ／或いは共振器１１ｃ及び／又は圧電素子６０（例えば、圧電ディスク）として実施されてよい。共振器１１ｃは、音響共振器（音響共鳴器）であってよい。共振器１１ｃは、少なくとも部分的に共振器１１ｃの形状及び／又は寸法に依存することがある、特定の条件の下で共振する、パッシブ装置であってよい。共振器１１ｃは、円形であってよい。共振器１１ｃは、導管１８０からの加圧媒体が共振器１１ｃに入ることがあるよう且つ／或いは接触することがあるよう、開口及び／又は空洞を含んでよい。共振器１１ｃは、圧力源１２と関連付けられる低周波数ポンプ脈動を検出するように構成されてよい。ポンプ脈動は、動作中に開閉する１つ又はそれよりも多くのポンプ弁、例えば、ポンプ排気弁によって引き起こされてよい。例示として、図６は、（図１の）システム１０と類似の又は同じシステム１０ｃを例示している。図６のシステム１０ｃは、圧力源１２、導管１８０、ネブライザ１３、薬品流体貯槽１３ａ、被験者インターフェース器具１８４（例えば、マウスピース）、ハウジング１５、共振器１１ｃ、圧電素子６０、及び／又は他の構成部品のうちの１つ又はそれよりも多くを含む。導管１８０は、圧力源１２をネブライザ１３及び／又は薬品流体貯槽１３ａの一方又は両方に流体的に結合させてよい。圧力及び／又は加圧媒体は、圧力源１２から導管１８０を通じてネブライザ１３及び／又は薬品流体貯槽１３ａの一方又は両方に移転させられてよい。幾つかの実施において、共振器１１ｃは、例えば、圧電素子６０との組み合わせの故に脈動センサとして機能するように構成されてよい。圧電素子６０は、共振器１１ｃの表面による移動に応答して変位させられてよい。代替的に及び／又は同時に、（非限定的に、図６に描写しない超音波マイクロホン、微小電気機械システム（ＭＥＭＳ）マイクロホン、及び／又は他の種類のマイクロホンを含む）マイクロホンを共振器１１ｃと組み合わせて、脈動センサとして機能させてよい。共振器１１ｃによるポンプ脈動の検出に応答して、圧力変換サブシステムの出力信号が生成され、出力信号は、例えば（描写しない）他のシステム構成部品によって、システム１１ｃ内の他の場所で用いられてよい。幾つかの実施において、共振器１１ｃは、導管１８０と直列に位置付けられてよく且つ／或いは配置されてよい。
【００２３】
幾つかの実施において、圧電素子６０は、ポンプ脈動を伝えるように構成される（描写しない）１つ又はそれよりも多くのワイヤを含んでよい。これらのワイヤの故に、ポンプ脈動は、システム及び／又は共振器１１ｃ内に共振をもたらす動作条件の存在及び／又は発生と無関係に検出されることがある。幾つかの実施において、ポンプ脈動は、ネブライザの動作条件にとっては低すぎる又は高すぎる周波数で検出されることがある。幾つかの実施では、図６に描写するように、共振器１１ｃをハウジング１５内に収容しよい。ハウジング１５は、圧電素子６０並びに薬品流体貯槽１３ａ及び／又は導管１８０の全部又は一部を収容してよい。
【００２４】
幾つかの実施では、圧力変換サブシステム１１によって生成される信号自体が、データロガー（及び／又はデータロギングモジュール１１２）を作動させるのに必要な実際の電力をもたらしてよい。
【００２５】
幾つかの実施において、圧力変換サブシステム１１は、共振器１１ｄ及び／又は圧電素子６０（例えば、圧電ディスク）を含んでよく且つ／或いは共振器１１ｄ及び／又は圧電素子６０（例えば、圧電ディスク）として実施されてよい。共振器１１ｄは、音響共振器（音響共鳴器）であってよい。共振器１１ｄは、導管１８０と共振器１１ｄとの間の直接的な接触又は流体連結がない状態で、導管１８０の近傍に位置付けられてよく且つ／或いは配置されてよい。例えば、共振器１１ｄは、導管１８０付近に配置される空洞を用いて実現されてよい。共振器１１ｄは、圧力源１２と関連付けられる低周波数ポンプ脈動を検出するように構成されてよい。例示として、図７は、（図６の）システム１０ｃと類似の又は同じシステム１０ｄを例示している。図７のシステム１０ｄは、圧力源１２、導管１８０、ネブライザ１３、貯槽１３ａ、被験者インターフェース器具１８４（例えば、マウスピース）、ハウジング１５、共振器１１ｄ、圧電素子６０、及び／又は他の構成部品のうちの１つ又はそれよりも多くを含む。導管１８０は、圧力源１２をネブライザ１３及び／又は薬品流体貯槽１３ａの一方又は両方に流体的に結合させてよい。圧力及び／又は加圧媒体は、圧力源１２から導管１８０を通じてネブライザ１３及び／又は薬品流体貯槽１３ａの一方又は両方に移転させられてよい。幾つかの実施において、共振器１１ｄは、例えば、圧電素子６０との組み合わせの故に、脈動センサとして機能するように構成されてよい。代替的に及び／又は同時に、（非限定的に、図７に描写しない超音波マイクロホン、微小電気機械システム（ＭＥＭＳ）マイクロホン、及び／又は他の種類のマイクロホンを含む）マイクロホンを共振器１１ｄと組み合わせて、脈動センサとして機能させてよい。共振器１１ｄによる、ポンプ脈動の検出に応答して、圧力変換サブシステムの出力信号が生成され、出力信号は、例えば（描写しない）他のシステム構成部品によって、システム１０ｄ内の他の場所で用いられてよい。
【００２６】
一部の実施において、圧電素子６０は、ポンプ脈動を伝えるように構成される（描写しない）１つ又はそれよりも多くのワイヤを含んでよい。一部の実施では、図７に描写するように、共振器１１ｄは、ハウジング１５内に収容されてよい。ハウジング１５は、圧電素子６０並びに薬品流体貯槽１３ａ及び／又は導管１８０の全部又は一部を収容してよい。
【００２７】
一部の実施において、圧力変換サブシステム１１は、マイクロホン１４２（具体的には、ＭＥＭＳマイクロホン）を含んでよく且つ／或いはマイクロホン１４２（具体的には、ＭＥＭＳマイクロホン）として実施されてよい。一例として、図８は、（図１の）システム１０と類似の又は同じシステム１０ｅを例示している。図８のシステム１０ｅは、圧力源１２、導管１８０、ネブライザ１３、薬品流体貯槽１３ａ、被験者インターフェース器具１８４（例えば、マウスピース）、ハウジング１５、マイクロホン１４２、及び／又は他の構成部品のうちの１つ又はそれよりも多くを含む。導管１８０は、圧力源１２を、ネブライザ１３及び／又は薬品流体貯槽１３ａの一方又は両方に流体的に結合させてよい。圧力及び／又は加圧媒体は、圧力源１２から導管１８０を通じてネブライザ１３及び／又は薬品流体貯槽１３ａの一方又は両方に移転させられてよい。幾つかの実施において、マイクロホン１４２は、音響脈動を伝えるように構成される（描写しない）１つ又はそれよりも多くのワイヤを含んでよい。マイクロホン１４２は、噴霧化と関連付けられ且つ／或いは導管１８０によって放出される音響エネルギを検出するように構成されてよい。幾つかの実施では、図８に描写するように、マイクロホン１４２をハウジング１５内に収容してよい。ハウジング１５は、医薬流体貯槽１３ａ及び／又は導管１８０の全部又は一部を収容してよく且つ／或いは取り囲んでよい。マイクロホン１４２によって生成される信号は、例えば（描写しない）他のシステム構成部品によって、システム１０ｅ内の他の場所で用いられてよい。
【００２８】
この開示の故に、ネブライザの実際の使用は、ネブライザの使用を監視するように構成されるシステム内で検出され、測定され、記録され、記憶され、解析され、且つ／或いはその他の方法において用いられてよい。代替的に及び／又は同時に、(例えば、装置使用情報及び／又は装置作動情報を通じて示されるような)(患者に特異な)呼吸パラメータ(respiratory  parameters)及び／又は忠実度パラメータ(adherence  parameters)は、システム内の圧力、例えば、導管１８０内の圧力に基づき監視され、記録され、記憶され、且つ／或いは解析されてよい。幾つかの実施において、装置の使用は、圧力源１２、ネブライザ１３、及び／又は導管１８０内の媒体の流れ、或いはその動作と干渉せずに、監視されてよい。
【００２９】
例示として、図９は、ネブライザの動作中に検出される圧力についてのグラフ９００を例示している。グラフ９００は、水平軸に時間を示し、垂直軸に測定される圧力を示している。図９に描写するように、グラフ９００は、付属のコンプレッサの排気弁が開く瞬間に対応する時点９０１と、付属のコンプレッサの排気弁が閉じる瞬間に対応する地点９０２と、付属のコンプレッサの吸気弁が閉じる瞬間に対応する時点９０３とを含む。
【００３０】
例示として、図１０は、ネブライザの動作中の測定される超音波エネルギについてのグラフ１０００を例示している。グラフ１０００は、水平軸に時間を示し、垂直軸に測定されるエネルギの大きさを示している。図１０に描写するように、グラフ１０００は、約４３ｋＨｚの、ネブライザ１３の動作と関連付けられる超音波エネルギを例示している。
【００３１】
図１のシステム１０の１以上のセンサ１４２は、システム１０及び／又はその１つ又はそれよりも多くの構成部品内で並びに／或いはシステム１０及び／又はその１つ又はそれよりも多くの構成部品によって放出される、圧力及び／又は（超音波）エネルギの１つ又はそれよりも多くの特性を表す出力信号を生成するように構成される。幾つかの実施において、センサ１４２は、（交換可能にマイクロホン１４２と呼ぶ）マイクロホンを含んでよい。例えば、センサ１４２は、微小電気機械システム（ＭＥＭＳ）又はナノ電気機械システム（ＮＥＭＳ）として構成されるマイクロホンを含んでよい。ここにおいて用いるとき、「ＭＥＭＳ」という用語は、ＭＥＭＳ又はＮＥＭＳのいずれかを指すように用いられることがある。この開示において用いるとき、「マイクロホン」(“microphone”)という用語は、ＭＥＭＳマイクロホンを指すように用いられることがあり、そのようなエネルギを放出する如何なる源又は複数の源からの可聴な且つ／或いは超音波の周波数／音響について用いらることがある。
【００３２】
１つ又はそれよりも多くのセンサ１４２は、加速度計、位置センサ、動作センサ、光センサ、赤外線（ＩＲ）センサ、電磁センサ、電極、傾斜計、（ビデオ）カメラ、及び／又は他のセンサを含んでよい。図１中の１つの部材を含むセンサ１４２の例示は、限定的であることを意図しない。幾つかの実施態様において、システム１０は、多数のセンサを用いてよい。図１に描写するようなセンサ１４２の場所の例示は、限定的であることを意図しない。個々のセンサ１４２を、被験者１０６（の身体部分）に又はその付近に配置してよく、呼吸装置内に、導管１８０に沿って、及び／又は他の場所で埋め込み且つ／或いは一体化してよい。１つ又はそれよりも多くのセンサ１４２からの結果として得られる出力信号又は伝達される情報を、プロセッサ１１０、ユーザインターフェース１２０、電子記憶装置１３０、及び／又はシステム１０の他の構成部品に送信してよい。送信は有線及び／又は無線であってよい。
【００３３】
１つ又はそれよりも多くのセンサ１４２は、例えば、医薬の給送前、給送中、及び／又は給送後に、進行的な方法(ongoing  manner)において出力信号を生成するように構成されてよい。これは、断続的に、周期的に（例えば、サンプリング速度で）、連続的に、継続的に、可変間隔で、及び／又は進行的な他の方法において、信号を生成することを含んでよい。サンプリング速度は、約１０−９秒、約１０−８秒、約１０−７秒、１０−６秒、１０−５秒、１０−４秒、１０−３秒、０．０１秒、０．１秒、１秒、約１０秒、約１分、及び／又は他のサンプリング速度であってよい。多数の個々のセンサ１４２が、特定の出力信号及び／又はそこから導き出される（特定の）パラメータ及び／又は特性（に関連する周波数）のために必要に応じて、異なるサンプリング速度を用いて作動してよいことを記す。例えば、幾つかの実施態様では、ベクトルが１つ又はそれよりも多くのパラメータ及び／又は特性に関連して伝達される情報の多数のサンプルを含むよう、生成される出力信号は、出力信号のベクトルとして考えられてよい。出力信号のベクトルから進行的な方法において決定される特定のパラメータ又は特性は、その特定のパラメータ又は特性のベクトルとして考えられてよい。
【００３４】
幾つかの実施において、センサ１４２は、呼吸装置内の任意の平坦な及び／又は湾曲した表面、その任意の外表面、及び／又は被験者１０６（の気道）から移転される圧力脈動及び／又はエネルギを測定するように構成され且つ／或いは配置される、ＭＥＭＳマイクロホンを含んでよい。例えば、測定されるエネルギは、例えば、医薬が被験者１０６に給送されない動作モードと比べて、実際の噴霧化中に異なることがある。例えば、測定されるエネルギは、吸込みと吐出しとの間で異なることがある。
【００３５】
幾つかの実施では、センサ１４２は、呼吸空気流の気体パラメータ、気道機構に関連するパラメータ、装置特性、及び／又は他のパラメータに関連する測定値を伝達する出力信号を生成するように構成されてよい。気体パラメータは、流れ、流速、患者による吸込みの強さ、（気道）圧力、湿度、速度、加速度、及び／又は他の気体パラメータ、並びにそれらの派生物を含んでよい。出力信号は、呼吸タイミング及び呼吸速度を含む、呼吸パラメータに関連する測定値を伝達してよい。
【００３６】
呼吸タイミングは、吸込みの開始、吸込みの持続時間、吸込みと吐出しとの間の呼吸休止、呼吸休止の開始、吐出しの開始、吐出しの持続時間、呼吸速度、吸込み対吐出し比（Ｉ：Ｅ比）、装置使用情報、及び／又は呼吸に関する他のタイミング特性のうちの１つ又はそれよりも多くを含んでよい。
【００３７】
装置特性は、圧力源の特性、コンプレッサのＲＰＭ、ネブライザの特性、ネブライザの動作モード、及び／又は他の装置特性を含んでよい。センサ１４２は、導管１８０及び／又はマウスピース若しくはマスク１８４と流体連絡してよい。センサ１４２は、被験者１０６に関する生理学的パラメータに関連する出力信号を生成してよい。パラメータは、被験者１０６の気道の状態及び／又は状況、被験者１０６の呼吸、被験者１０６によって呼吸される気体、被験者１０６によって呼吸される気体の組成、被験者１０６の気道への気体の給送、及び／又は被験者による呼吸努力と関連付けられてよい。
【００３８】
図１を参照すると、システム１０電子記憶装置１３０は、電子的に情報を格納する電子記憶媒体を含む。電子記憶装置１３０の電子記憶媒体は、システムと共に内部的に（即ち、実質的に取り外し不能に）提供されるシステム記憶装置、及び／又は、例えば、ポート（例えば、ＵＳＢポート、ファイヤワイヤポート等）又はドライブ（例えば、ディスクドライブ等）を介して、システム１０に取り外し可能に接続可能である取り外し可能な記憶装置、の一方又は両方を含んでよい。電子記憶装置１３０は、光学的に読出し可能な記憶媒体（例えば、光ディスク等）、磁気的に読出し可能な媒体（例えば、磁気テープ、磁気ハードディスク、フロッピー（登録商標）ディスク等）、電荷ベースの記憶媒体（例えば、ＥＰＲＯＭ、ＥＥＰＲＯＭ、ＲＡＭ等）、ソリッドステート記憶媒体（例えば、フラッシュドライブ等）、及び／又は他の電子的に読出し可能な記憶媒体のうちの１つ又はそれよりも多くを含んでよい。電子記憶装置１３０は、ソフトウェアアルゴリズム、プロセッサ１１０によって決定される情報、ユーザインターフェース１２０を介して受信される情報、及び／又はシステム１０が適切に機能するのを可能にする他の情報を格納してよい。例えば、電子記憶装置１３０は、生成される出力信号に基づくパラメータのベクトル、及び／又は（ここにおける他の場所で議論した）他のパラメータ、及び／又は他の情報を記録し或いは格納してよい。電子記憶装置１３０は、システム１０内の別個の構成部品であってよく、或いは、電子記憶装置１３０は、システム１０の１つ又はそれよりも多くの他の構成部品（例えば、プロセッサ１１０）と一体的に提供されてよい。
【００３９】
図１のシステム１０のユーザインターフェース１２０は、システム１０とユーザ（例えば、ユーザ１０８、被験者１０６、介護者、治療方針決定者等）との間のインターフェースをもたらすように構成され、ユーザは、インターフェースを通じてシステム１０に情報を提供し且つ／或いはシステム１０から情報を受け取り得る。これは、集合的に「情報」と呼ぶ、データ、結果、及び／又は指令、並びに任意の他の通信可能なアイテム（品目）が、ユーザとシステム１０との間で通信されることを可能にする。ユーザ１０８によってシステム１０に伝達されてよい情報の例は、患者に特異な忠実度情報(adherence  information)である。ユーザ１０８に伝達されてよい情報の例は、被験者１０６についての忠実度情報を詳述する報告書（レポート）である。ユーザインターフェース１２０に含めるのに適したインターフェース装置の例は、キーパッド、ボタン、スイッチ、キーボード、ノブ、レバー、ディスプレイスクリーン、タッチスクリーン、スピーカ、マイクロホン、インジケータライト（表示灯）、可聴アラーム、及びプリンタを含む。情報は、可聴信号、視覚信号、触覚信号、及び／又は他の感覚信号の形態におけるユーザインターフェース１２０によって、ユーザ１０８又は被験者１０６に提供されてよい。
【００４０】
ここでは、配線接続であれ無線であれ、他の通信技法もユーザインターフェース１２０として考えられることが理解されるべきである。例えば、１つの実施態様では、ユーザインターフェース１２０を電子記憶装置１３０によってもたらされる取り外し可能な記憶装置インターフェースと統合してよい。この実施例において、情報は、ユーザがシステム１０をカスタマイズするのを可能にする取り外し可能な記憶装置（例えば、スマートカード、フラッシュドライブ、リムーバブルディスク等）から、システム１０内にロードされる。ユーザインターフェース１２０としてシステム１０と共に使用するために構成される他の例示的な入力装置及び技法は、ＲＳ−２３２ポート、ＲＦリンク、ＩＲリンク、モデム（電話、ケーブル、イーサネット（登録商標）、インターネット又はその他）を含むが、それらに限定されない。要するに、情報をシステム１０に伝えるあらゆる技法がユーザインターフェース１２０として考えられる。
【００４１】
図１のシステム１０のプロセッサ１１０は、システム１０における情報処理能力をもたらすように構成される。よって、プロセッサ１１０は、デジタルプロセッサ、アナログプロセッサ、情報を処理するように設計されるデジタル回路、情報を処理するように設計されるアナログ回路、及び／又は情報を電子的に処理するための他の機構のうちの１つ又はそれよりも多くを含む。プロセッサ１１０は単一の実体として図１に示されているが、これは例示的な目的のために過ぎない。幾つかの実施態様において、プロセッサ１１０は、複数の処理ユニットを含む。
【００４２】
図１に示すように、プロセッサ１１０は、１つ又はそれよりも多くのコンピュータプログラムモジュールを実行するように構成される。１つ又はそれよりも多くのコンピュータプログラムモジュールは、パラメータ決定モジュール１１１、データロギングモジュール１１２、解析モジュール１１３、及び／又は他のモジュールのうちの１つ又はそれよりも多くを含む。プロセッサ１１０は、ソフトウェア；ハードウェア；ファームウェア、ソフトウェア、ハードウェア、及び／又はファームウェアの何らかの組み合わせ；及び／又はプロセッサ１１０における処理能力を構成するための他の機構によってモジュール１１１−１１３を実行するように構成されてよい。
【００４３】
モジュール１１１−１１３は、単一の処理ユニット内の同一の場所に配置されているように図１に例示されているが、プロセッサ１１０が多数の処理ユニットを含む実施態様では、モジュール１１１−１１３のうちの１つ又はそれよりも多くを他のモジュールから遠隔に配置してよいことが理解されるべきである。ここに記載する異なるモジュール１１１−１１３によってもたらされる機能性の記述は、例示的な目的のためであり、限定的であることを意図しない。何故ならば、モジュール１１１−１１３のうちのいずれかは、記載するよりも多い又は少ない機能性をもたらすことがあるからである。例えば、モジュール１１１−１１３のうちの１つ又はそれよりも多くを省いてよいし、その機能性の一部又は全部を、モジュール１１１−１１３のうちの他のものに組み込んでよく、モジュール１１１−１１３のうちの他のものと共用してよく、モジュール１１１−１１３のうちの他のものに一体化（統合）してよく、且つ／或いはモジュール１１１−１１３のうちの他のものによってその他の方法において提供してよい。プロセッサ１１０は、以下のモジュール１１１−１１３のうちの１つに起因する機能性の一部又は全部を行ってよい１つ又はそれよりも多くの追加的なモジュールを実行するように構成されてよいことに留意のこと。
【００４４】
図１のシステム１０のパラメータ決定モジュール１１１は、圧力変換サブシステム１１及び／又はセンサ１４２によって生成される出力信号から１つ又はそれよりも多くのパラメータを決定するように構成される。１つ又はそれよりも多くのパラメータは、１つ又はそれよりも多くのネブライザ使用パラメータ、及び／又は他のパラメータを含んでよい。例えば、ネブライザ使用パラメータは、ネブライザ動作モード、システム１０内の圧力レベル、治療の持続時間、治療毎の推定投与量、使用の頻度、ネブライザの種類、及び／又は他のパラメータを含んでよい。
【００４５】
パラメータ決定モジュール１１１の作動を進行的な方法において、例えば、ある特定のサンプリング速度で行ってよい。１つ又はそれよりも多くのパラメータをシステム１０内の或いは被験者１０６付近の異なる場所及び／又は位置で決定してよい。幾つかの実施態様において、パラメータ決定モジュール１１１は、被験者１０６を監視する期間中に進行的な方法においてパラメータのベクトルを導き出してよい。パラメータのベクトルは、生成される出力信号のベクトル及び／又は決定されるパラメータ他（のベクトル）に基づいてよい。
【００４６】
データロギングモジュール１１２は、１つ又はそれよりも多くのネブライザ使用パラメータ及び／又は他の情報を格納するように構成されてよい。データロギングモジュール１１２は、物理的な記憶媒体、例えば、電子記憶装置１３０内に情報を格納するように構成されてよい。幾つかの実施では、データロギングモジュール１１２をデータロガーによって実施してよく、データロガーはここに記載するシステム１０の他の構成部品とは別個の独立した装置であってよい。データロギングモジュール１１２は、パラメータ決定モジュール１１１によって決定されるようなパラメータのいずれかを伴うデータ及び／又は時間を記入(log)し、記録(record)し、且つ／或いは格納(記憶)(store)するように構成されてよい。パラメータ決定モジュール１１１及びデータロギングモジュール１１２の動作を組み合わせることによって、格納される情報は、１日当たりの、１週間当たりの、１月当たりの、及び／又は患者の治療及び／又は医療状況の変化についての長期（傾向）情報を導き出すことに関連することがある他の方法における、ネブライザ使用情報を反映することがある。例えば、格納される情報は、患者が過小投与している、過剰投与している、遅延投与している、且つ／或いは彼の治療計画に適切に従っていない他の投与をしているか否かを反映することがある。
【００４７】
幾つかの実施において、データロギングモジュール１１２の動作及び／又は電力供給は、ここにおける他の場所で記載したように、圧力変換サブシステム１１によって生成される１つ又はそれよりも多くの出力信号に基づいてよい。例えば、圧力測定値が、ネブライザ１３が使用されていないことを示すならば、データロギングモジュール１１２をオフにし、そのパワーを落とし、且つ／或いはその他の方法において非動作モードに移行させてよい。
【００４８】
解析モジュール１１３は、被験者１０６が彼の治療計画に従っているか否かを決定するように構成されてよい。解析モジュール１１３は、データロギングモジュール１１２によって格納された情報を抽出し、その上で操作、処理、及び／又は解析を行うように構成されてよい。例えば、解析モジュール１１３による解析は、被験者１０６が投与量及び／又は治療時間を増大させていることを明らかにすることがあり、それは被験者１０６の特定の症状、特定の疾病、及び／又は病気の悪化に関連することがある。
【００４９】
幾つかの実施において、解析モジュール１１３は、被験者１０６についての忠実度計量(adherence  metric)及び／又は忠実度パラメータ(adherence  parameter)を決定するように構成されてよい。忠実度計量及び／又は忠実度パラメータは、１つ又はそれよりも多くの前述のパラメータ及び／又は特徴付け(characterization)に基づいてよい。例えば、特定の忠実度計量は、少なくとも、装置作動情報及び呼吸タイミングの組み合わせに基づいてよい。忠実度計量及び／又は忠実度パラメータを、例えば、推奨される治療の完全な遵守のパーセンテージとして表現してよい。例えば、特定の患者が９０％の忠実度を記録(score)するならば、そのようなスコアは、行動方針を決定するときに、介護者によって考慮されてよい。代替的に、特定の患者が低いパーセンテージの忠実度を記録するならば、そのようなスコアは、特定の薬品がその特定の患者に効果がないと見做される前に関係があると考えられてよい。低いスコアは、例えば、選択される呼吸装置の種類の変更を促してよい。
【００５０】
幾つかの実施では、様々な種類の圧力変換サブシステム１１／１１ａ／１１ｂ／１１ｃ／１１ｄ及び／又はマイクロホン１４２（並びにそれらの組み合わせ）のうちの１つ又はそれよりも多くを、１つ又はそれよりも多くのアクセス可能なチューブへの圧力の適用を含む空圧医療装置において用いてよい。
【００５１】
図２は、ネブライザ使用を監視する方法２００を例示している。以下に提示する方法２００の操作は、例示的であることを意図している。特定の実施態様では、記載しない１つ又はそれよりも多くの追加的な操作を用いて、並びに／或いは議論する操作のうちの１つ又はそれよりも多くを用いないで、方法２００を達成してよい。加えて、方法２００の操作を図２に例示し且つ以下に記載する順序は、限定的であることを意図しない。
【００５２】
特定の実施態様において、方法２００は、１つ又はそれよりも多くの処理装置（例えば、デジタルプロセッサ、アナログプロセッサ、情報を処理するように設計されるデジタル回路、情報を処理するように設計されるアナログ回路、及び／又は情報を電子的に処理するための他の機構）において実施されてよい。１つ又はそれよりも多くの処理装置は、電子記憶媒体上に電子的に格納される指令に応答して方法２００の操作の一部又は全部を実行する１つ又はそれよりも多くの装置を含んでよい。１つ又はそれよりも多くの処理装置は、方法２００の操作のうちの１つ又はそれよりも多くの操作の実行のために特別に設計されるべきハードウェア、ファームウェア、及び／又はソフトウェアを通じて構成される１つ又はそれよりも多くの装置を含んでよい。
【００５３】
操作２０２で、導管による流体連結を通じて圧縮媒体を圧力源からネブライザに移転させる。幾つかの実施では、操作２０２を（図１に示し且つここに記載する）導管１８０と同一又は類似の導管によって遂行する。
【００５４】
操作２０４で、出力信号が変換される圧力の変化に応答して調節されるよう、圧縮媒体からの圧力を出力信号に変換する。幾つかの実施態様では、操作２０４を（図１に示し且つここに記載する）圧力変換サブシステム１１と同一又は類似の圧力変換サブシステムによって遂行する。
【００５５】
操作２０６で、出力信号に基づき１つ又はそれよりも多くのネブライザ使用パラメータを決定する。幾つかの実施態様では、（図１に示し且つここに記載する）パラメータ決定モジュール１１１と同一又は類似のパラメータ決定モジュールによって操作２０６を遂行する。
【００５６】
操作２０８で、１つ又はそれよりも多くのネブライザ使用パラメータを、例えば、物理的な記憶媒体内に格納する。幾つかの実施態様では、（図１に示し且つここに記載する）データロギングモジュール１１２と同一又は類似のデータロギングモジュールによって操作２０８を遂行する。
【００５７】
請求項において、括弧内に配置される如何なる参照符号も請求項を限定するものと解釈されてならない。「含む」(“comprising”又は“including”)という用語は、請求項中に列挙される要素又はステップ以外の要素又はステップの存在を排除しない。幾つかの手段を列挙する装置の請求項では、これらの手段のうちの幾つかを１つの同じ品目のハードウェアによって具現してよい。ある要素に先行する不定冠詞は、そのような要素が複数存在することを排除しない。幾つかの手段を列挙するあらゆる装置の請求項では、これらの手段のうちの幾つかを１つの同じ品目のハードウェアによって具現してよい。特定の要素が相互に異なる従属項において引用されているという単なる事実は、これらの要素を組み合わせにおいて用い得ないことを示さない。
【００５８】
この記述は現時点で最も実用的で好適な実施態様と考えられるものに基づく例示の目的のための詳細を含むが、そのような詳細はその目的のためだけであること、並びに、その開示は開示の実施態様に限定されず、逆に、付属の請求項の精神及び範囲内にある変形及び均等な構成をカバーすることを意図することが理解されるべきである。例えば、可能な限り、任意の実施態様の１つ又はそれよりも多くの構成は任意の他の実施態様の１つ又はそれよりも多くの構成と組み合わせられることが想定されることが理解されるべきである。
【図１】
0006419174.tif 000002
【図２】
0006419174.tif 000003
【図３】
0006419174.tif 000004
【図４】
0006419174.tif 000005
【図５】
0006419174.tif 000006
【図６】
0006419174.tif 000007
【図７】
0006419174.tif 000008
【図８】
0006419174.tif 000009
【図９】
0006419174.tif 000010
【図１０】
0006419174.tif 000011